(57)【特許請求の範囲】
【請求項１】
建造物に設備された各種の設備物を解体した後の複数の解体物を管理する解体物管理システムにおいて、
前記建造物が、原子力関連施設であり、前記解体物管理システムが、連続する番号を表す印刷可能な複数の識別コードが表示された連番テープと、前記連番テープに表示された識別コードを読み取る識別コードリーダと、前記識別コードリーダから前記識別コードの番号が転送されるコンピュータとを利用し、前記原子力関連施設に設備された設備物を解体する前の解体前管理と、前記設備物を解体した後の解体後管理とを実行し、
前記解体前管理では、前記複数の識別コードが表示された連番テープが前記原子力関連施設に設備された解体前の設備物に貼付され、解体前の前記設備物に貼付された前記連番テープの識別コードが表す連続する番号のうちの先頭番号と最後尾番号とが前記識別コードリーダによって読み取られ、前記コンピュータが各設備物を特定する設備物特定識別子と前記先頭番号から前記最後尾番号までの連続する番号とを関連付けて格納する設備物格納手段を実行し、
前記解体後管理では、前記原子力関連施設に設備された設備物が前記連番テープの少なくとも１つの識別コードが読み取り可能に残存する複数個の解体物に解体され、前記設備物を複数個の解体物に解体した後、それら解体物に貼付された前記連番テープの識別コードが前記識別コードリーダによって読み取られ、前記コンピュータがそれら解体物に貼付された前記連番テープの識別コードが表す番号に対応する設備物特定識別子からそれら解体物が属する設備物を特定する設備物特定手段を実行することを特徴とする解体物管理システム。
【請求項２】
前記コンピュータには、それら設備物の各種の属性が前記設備物特定識別子に関連付けられた状態で格納され、前記解体後管理では、前記解体物が属する設備物の属性が出力される請求項１に記載の解体物管理システム。
【請求項３】
前記解体物管理システムでは、各種複数の色によって区別された複数種類の前記連番テープが利用され、前記設備物の属性が前記連番テープの色によって認識可能である請求項１または請求項２に記載の解体物管理システム。
【請求項４】
前記解体物管理システムでは、色彩の濃淡によって区別された複数種類の前記連番テープが利用され、前記設備物の属性が前記連番テープの色彩の濃淡によって認識可能である請求項１ないし請求項３いずれかに記載の解体物管理システム。
【請求項５】
前記解体物管理システムでは、各種複数の形によって区別された複数種類の前記連番テープが利用され、前記設備物の属性が前記連番テープの形によって認識可能である請求項１ないし請求項４いずれかに記載の解体物管理システム。
【請求項６】
前記解体物管理システムでは、各種複数の記号によって区別された複数種類の前記連番テープが利用され、前記設備物の属性が前記連番テープに表示された記号によって認識可能である請求項１ないし請求項５いずれかに記載の解体物管理システム。
【請求項７】
前記設備物の属性が、前記原子力関連施設におけるそれら設備物の放射性物質による汚染レベルである請求項１ないし請求項６いずれかに記載の解体物管理システム。
【請求項８】
前記設備物の属性が、前記原子力関連施設におけるそれら設備物の危険性である請求項１ないし請求項７いずれかに記載の解体物管理システム。
【請求項９】
前記設備物の属性が、前記原子力関連施設におけるそれら設備物の材質および系統である請求項１ないし請求項８いずれかに記載の解体物管理システム。
【請求項１０】
前記設備物の属性が、前記原子力関連施設におけるそれら設備物の特定情報および解体日時である請求項１ないし請求項９いずれかに記載の解体物管理システム。
【請求項１１】
前記識別コードが、バーコードであり、前記連結テープでは、前記バーコードが該連結テープの長さ方向へ等間隔離間した状態で連続して一列に並んでいる請求項１ないし請求項１０いずれかに記載の解体物管理システム。
【発明の詳細な説明】
【技術分野】
【０００１】
本発明は、建造物に設備された各種の設備物を解体した後の複数の解体物を管理する解体物管理システムに関する。
【背景技術】
【０００２】
建築物の部屋を形成する表層部材で覆われてその表層部材の内部に配置された再利用可能な内部部材を損傷させることなく、建築物を解体する解体方法がある（特許文献１参照）。この解体方法では、内部部材の情報を記憶したＲＦＩＤをあらかじめ内部部材に取り付け、解体前に表層部材の表面を探知装置を利用して走査し、ＲＦＩＤに記憶された情報を取得するとともに、ＲＦＩＤに記憶された情報に基づいて内部部材の種別および位置を特定する。
【０００３】
また、原子力設備の内壁面の放射性物質および塗膜を除去手段によって除去する工程と、放射性物質および塗膜が除去された原子力設備を所定の大きさの解体物に解体手段によって解体する工程と、解体された解体物を運搬用容器に収容して原子力施設からそれに隣接するタービン建屋に運搬する工程と、タービン建屋において運搬用容器に収容された解体物を細断手段によって所定の大きさに細断する工程と、細断された解体物を除染手段によって除染した後に容器に収容する工程とを有する原子力設備の解体工法がある（特許文献２参照）。
【先行技術文献】
【特許文献】
【０００４】
【特許文献１】特開２００８−２５５６８０号公報
【特許文献２】特開２０１０−８０９１号公報
【発明の概要】
【発明が解決しようとする課題】
【０００５】
前記特許文献１に開示の建築物の解体方法は、ＩＣチップを有するＲＦＩＤを利用して内部部材の情報をそのＲＦＩＤに格納し、そのＲＦＩＤを内部部材に取り付け、解体前に探知装置を利用して再利用可能な内部部材の種別と位置とを判定することで、表層部材に隠れた再利用可能な内部部材を確認することができる。しかし、建築物を解体した後の複数の解体物について、それらが属する建築物を解体後に特定することができず、建築物の解体後にそれら解体物が属していた建築物を追跡することができない。
【０００６】
また、前記特許文献２に開示の建築物の解体工法は、解体された原子力設備の複数の解体物の放射性物質の汚染レベルや危険性、材質、特定情報、解体日時等の属性を解体後に特定することができず、原子力設備を解体した後に複数の解体物において、それらが属していた原子力設備を特定することができないのみならず、それら解体物の属性を各解体物毎に把握することができず、それら解体物をその属性に基づいて管理することができない。特に、原子力設備における解体作業では、放射能汚染を厳格に防ぐ目的から、解体物が属する解体前の設備物を解体後に追跡かつ把握可能であることが要求されるとともに、解体物の属性が解体後に追跡かつ把握可能であることが要求され、解体物の属性毎の管理が要求される。しかし、前記特許文献２に開示の解体工法は、原子力施設の解体に要求されるそのような条件を満足させることができない。
【０００７】
本発明の目的は、解体した後の解体物が属する設備物を解体後に特定することができ、設備物の解体後にそれら解体物が属していた設備物を追跡かつ把握することができる解体物管理システムを提供することにある。本発明の他の目的は、原子力関連施設を解体した解体物が属する設備物の属性を解体後に追跡かつ把握することができ、原子力関連施設を解体した解体物を属性毎に管理することができる解体物管理システムを提供することにある。
【課題を解決するための手段】
【０００８】
前記課題を解決するための本発明の前提は、建造物に設備された各種の設備物を解体した後の複数の解体物を管理する解体物管理システムである。
【０００９】
前記前提における本発明の特徴としては、建造物が、原子力関連施設であり、解体物管理システムが、連続する番号を表す印刷可能な複数の識別コードが表示された連番テープと、連番テープに表示された識別コードを読み取る識別コードリーダと、識別コードリーダから識別コードの番号が転送されるコンピュータとを利用し、原子力関連施設に設備された設備物を解体する前の解体前管理と、設備物を解体した後の解体後管理とを実行し、解体前管理では、複数の識別コードが表示された連番テープが原子力関連施設に設備された解体前の設備物に貼付され、解体前の設備物に貼付された連番テープの識別コードが表す連続する番号のうちの先頭番号と最後尾番号とが識別コードリーダによって読み取られ、コンピュータが各設備物を特定する設備物特定識別子と先頭番号から最後尾番号までの番号とを関連付けて格納する設備物格納手段を実行し、解体後管理では、原子力関連施設に設備された設備物が連番テープの少なくとも１つの識別コードが読み取り可能に残存する複数個の解体物に解体され、設備物を複数個の解体物に解体した後、それら解体物に貼付された連番テープの識別コードが識別コードリーダによって読み取られ、コンピュータがそれら解体物に貼付された連番テープの識別コードが表す番号に対応する設備物特定識別子からそれら解体物が属する設備物を特定する設備物特定手段を実行することにある。
【００１０】
本発明の他の一例として、コンピュータには、それら設備物の各種の属性が設備物特定識別子に関連付けられた状態で格納され、解体後管理では、解体物が属する設備物の属性が出力される。
【００１１】
本発明の他の一例として、解体物管理システムでは、各種複数の色によって区別された複数種類の連番テープが利用され、設備物の属性が連番テープの色によって認識可能である。
【００１２】
本発明の他の一例として、解体物管理システムでは、色彩の濃淡によって区別された複数種類の連番テープが利用され、設備物の属性が連番テープの色彩の濃淡によって認識可能である。
【００１３】
本発明の他の一例として、解体物管理システムでは、各種複数の形によって区別された複数種類の連番テープが利用され、設備物の属性が連番テープの形によって認識可能である。
【００１４】
本発明の他の一例として、解体物管理システムでは、各種複数の記号によって区別された複数種類の連番テープが利用され、設備物の属性が連番テープに表示された記号によって認識可能である。
【００１５】
本発明の他の一例としては、設備物の属性が原子力関連施設におけるそれら設備物の放射性物質による汚染レベルである。
【００１６】
本発明の他の一例としては、設備物の属性が原子力関連施設におけるそれら設備物の危険性である。
【００１７】
本発明の他の一例としては、設備物の属性が原子力関連施設におけるそれら設備物の材質および系統である。
【００１８】
本発明の他の一例としては、設備物の属性が原子力関連施設におけるそれら設備物の特定情報および解体日時である。
【００１９】
本発明の他の一例としては、識別コードがバーコードであり、連結テープでは、バーコードが連結テープの長さ方向へ等間隔離間した状態で連続して一列に並んでいる。
【発明の効果】
【００２０】
本発明にかかる解体物管理システムによれば、解体前管理において、連番テープが設備物に貼付され、原子力関連施設に設備された設備物に貼付された連番テープの識別コードが表す連続する番号のうちの先頭番号と最後尾番号とが識別コードリーダによって読み取られ、コンピュータが各設備物を特定する設備物特定識別子と先頭番号から最後尾番号までの番号とを関連付けて格納し、解体後管理において、原子力関連施設に設備された設備物が連番テープの少なくとも１つの識別コードが読み取り可能に残存する複数個の解体物に解体され、設備物を解体した後の複数個の解体物に残存する連番テープの識別コードが識別コードリーダによって読み取られ、コンピュータがそれら解体物に貼付された連番テープの識別コードが表す番号に対応する設備物特定識別子からそれら解体物が属する設備物を特定するから、連番テープに表示された識別コードを利用することで、複数個の解体物が属する原子力関連施設に設備された設備物を各解体物毎に特定することができ、設備物の解体後にそれら解体物が属していた原子力関連施設の設備物を追跡かつ把握することができる。解体物管理システムは、原子力関連施設に設備された設備物が細かく解体されて複数の解体物が発生したとしても、それら解体物に貼付された連番テープの識別コードを介してそれら解体物の解体前の設備物を確実に特定することができるから、ある原子力関連施設の設備物を解体した解体物がその原子力関連施設の設備物の解体物群からはぐれたり、ある原子力関連施設の設備物を解体した解体物が他の原子力関連施設の設備物の解体物として紛れ込んだとしても、その解体物の解体前の設備物を明らかにすることができ、解体物の帰属不明を防ぐことができる。原子力関連施設における解体作業では、放射能汚染を厳格に防ぐ目的から、複数の解体物が属する設備物の属性が解体後に追跡可能かつ把握可能であることが要求され、解体後のそれら解体物の属性毎の管理が要求されるが、この解体物管理システムは、原子力関連施設の解体に要求されるそのような条件を満足させることができる。
【００２１】
解体物管理システムは、少なくとも１つの識別コードが解体物に貼付された連番テープに読み取り可能に残存し、少なくとも１つの読み取り可能なバーコードが解体物に残存していることで、その識別コードから解体物が属する設備物を特定することができ、設備物の解体後に各解体物が属していた設備物を確実に追跡かつ把握することができる。
【００２２】
設備物の属性が設備物特定識別子に関連付けられた状態でコンピュータに格納され、解体後管理において解体物が属する設備物の属性が出力される体物管理システムは、解体物が属する設備物を解体後に追跡かつ把握することができる他、設備物の解体後にであっても、解体物が属するその設備物の属性を各解体物毎に把握することができるから、解体物を各設備物毎であって属性毎に区分して管理することができる。
【００２３】
各種複数の色によって区分された複数種類の連番テープを利用し、設備物の属性が連番テープの色によって認識可能な解体物管理システムは、解体物が属する設備物を解体後に追跡かつ把握することができる他、設備物の解体後にであっても、連番テープの色によって解体物が属する設備物の属性を各解体物毎に把握することができるから、連番テープを利用することで、解体物を設備物毎であって属性毎に区分して管理することができる。
【００２４】
色彩の濃淡によって区別された複数種類の連番テープが利用され、設備物の属性が連番テープの色彩の濃淡によって認識可能な解体物管理システムは、解体物が属する設備物を解体後に追跡かつ把握することができる他、設備物の解体後にであっても、連番テープの色彩の濃淡によって解体物が属する設備物の属性を各解体物毎に把握することができるから、連番テープを利用することで、解体物を設備物毎であって属性毎に区分して管理することができる。
【００２５】
各種複数の形によって区別された複数種類の連番テープを利用し、設備物の属性が連番テープの形によって認識可能な解体物管理システムは、解体物が属する設備物を解体後に追跡かつ把握することができる他、設備物の解体後にであっても、連番テープの形によって解体物が属する設備物の属性を各解体物毎に把握することができるから、連番テープを利用することで、解体物を設備物毎であって属性毎に区分して管理することができる。
【００２６】
各種複数の記号によって区別された複数種類の連番テープを利用し、設備物の属性が連番テープに表示された記号によって認識可能な解体物管理システムは、解体物が属する設備物を解体後に追跡かつ把握することができる他、設備物の解体後にであっても、連番テープに表示された記号によって解体物が属する設備物の属性を各解体物毎に把握することができるから、連番テープを利用することで、解体物を設備物毎であって属性毎に区分して管理することができる。
【００２７】
設備物の属性が原子力関連施設におけるそれら設備物の放射性物質による汚染レベルである解体物管理システムは、連番テープに表示された識別コードを利用することで、解体物が属する設備物を解体後に追跡かつ把握することができる他、各解体物の放射性物質の汚染レベルを各解体物毎に管理することができ、解体物を介した放射能汚染を未然に防ぐことができる。解体物管理システムは、連番テープの色や濃淡、形、記号を利用することで、設備物の放射性物質による汚染レベルを各解体物毎に把握することができ、各解体物をそれらの汚染レベルに基づいて管理することができる。
【００２８】
設備物の属性が原子力関連施設におけるそれら設備物の危険性である解体物管理システムは、連番テープに表示された識別コードを利用することで、解体物が属する設備物を解体後に追跡かつ把握することができる他、各解体物が属する設備物の危険性を各解体物毎に管理することができ、解体物が属する設備物の危険性の不明を未然に防ぐことができる。解体物管理システムは、連番テープの色や濃淡、形、記号を利用することで、各解体物が属する設備物の危険性を各解体物毎に把握することができ、各解体物をそれらが属する設備物の危険性の高低に基づいて管理することができる。
【００２９】
設備物の属性が原子力関連施設におけるそれら設備物の材質および系統である解体物管理システムは、連番テープに表示された識別コードを利用することで、解体物が属する設備物を解体後に追跡かつ把握することができる他、各解体物が属する設備物の材質および系統を各解体物毎に管理することができ、解体物が属する設備物の材質および系統の不明を未然に防ぐことができる。解体物管理システムは、連番テープの色や濃淡、形、記号を利用することで、各解体物が属する設備物の材質および系統を各解体物毎に把握することができ、各解体物をそれらが属する設備物の材質および系統に基づいて管理することができる。
【００３０】
設備物の属性が原子力関連施設におけるそれら設備物の特定情報および解体日時である解体物管理システムは、連番テープに表示された識別コードを利用することで、解体物が属する設備物を解体後に追跡かつ把握することができる他、各解体物が属する設備物の特定情報および解体日時を各解体物毎に管理することができ、解体物が属する設備物の特定情報および解体日時の不明を未然に防ぐことができる。
【図面の簡単な説明】
【００３１】
【図１】一例として示す解体物管理システムの概略構成図。
【図２】連番テープの一例を示す図。
【図３】鉄筋鉄骨コンクリート建築物に設備されたテーブルの斜視図。
【図４】鉄筋鉄骨コンクリート建築物に設備されたロッカーの斜視図
【図５】テーブルの解体作業の一例を示す図。
【図６】ロッカーの解体作業の一例を示す図。
【図７】テーブルを解体した後の解体物を示す図。
【図８】ロッカーを解体した後の解体物を示す図。
【図９】原子力発電所の一例を示す図。
【図１０】原子力発電所の解体に利用される連番テープの一例を示す図。
【図１１】連番テープの他の一例を示す図。
【図１２】連番テープの他の一例を示す図。
【図１３】図１０に示す連番テープが貼付されたドアの斜視図。
【図１４】各ドアの解体作業の一例を示す図。
【図１５】各ドアを解体した後の解体物を示す図。
【図１６】図１１に示す連番テープが貼付された照明装置の斜視図。
【図１７】各照明装置の解体作業の一例を示す図。
【図１８】各照明装置を解体した後の解体物を示す図。
【図１９】図１２に示す連番テープが貼付されたダクトの斜視図。
【図２０】各ダクトの解体作業の一例を示す図。
【図２１】各ダクトを解体した後の解体物を示す図。
【発明を実施するための形態】
【００３２】
一例として示す解体物管理システムの概略構成図である図１等の添付の図面を参照し、本発明にかかる解体物管理システムの詳細を説明すると、以下のとおりである。なお、図２は、連番テープ１１の一例を示す図である。解体物管理システム１０は、連番テープ１１とバーコードリーダ１２（識別コードリーダ）とコンピュータ１３とから形成されている。解体物管理システム１０は、連番テープ１１やバーコードリーダ１２、コンピュータ１３を利用し、建造物に設備された各種の設備物の解体前管理を実行するとともに、設備物を解体した後の解体後管理を実行する。
【００３３】
解体用の連番テープ１１は、図１に示すように、その平面形状が細長い帯であり、その帯を巻き取った巻物状に加工されている。連番テープ１１の表面には、連続する無制限の番号（たとえば、１，２，３・・・ｎの連続番号があるが、偶数２，４，６・・・ｎの連続番号や奇数１，３，５・・・ｎの連続番号等であってもよい）を表す複数のバーコード１４（識別コード）が表示（印刷）されている。それらバーコード１４は、連結テープ１１の長さ方向（一方向）へ等間隔離間した状態で連続して一列に並んでいる。連番テープ１１は、合成樹脂シートまたは紙シート若しくは合成樹脂シートと紙シートとの複合シートから作られ、その裏面に粘着材（図示せず）が塗布されている。なお、その粘着材が剥離紙（図示せず）によって被覆・保護されていてもよい。
【００３４】
図２には、バーコードとして、一次元バーコード１４を図示しているが、一次元バーコード１４の他に、ＱＲコード（登録商標）やベリコード、マキシコード等のマトリックス式の二次元バーコードを使用することもでき、Ｃｏｄｅ４９やＣｏｄｅ１６Ｋ、Ｃｏｄａｂｌｏｃｋ、ＳｕｐｅｒＣｏｄｅ等のスタック式の二次元バーコードを使用することもできる。また、カメレオンコードを使用することもできる。なお、バーコードの他に、デジタルマーク（識別コード）やカラーマーク（識別コード）を使用することもできる。デジタルマークを使用する場合は、バーコードリーダ１２に代えて、デジタルマークを読み取るデジタルマークリーダを使用し、カラーマークを使用する場合は、バーコードリーダ１２に代えて、カラーマークを読み取るカラーマークリーダを使用する。
【００３５】
バーコードリーダ１２は、インターフェイス（有線または無線）を介してコンピュータ１３に接続されている。図１には３台のバーコードリーダ１２が図示されているが、バーコードリーダ１２の台数に特に限定はなく、バーコードリーダ１２が１台または４台以上であってもよい。なお、各バーコードリーダ１２には、プライベートＩＰアドレスやＭＡＣアドレスが設定されており、それらアドレス情報に基づいて各バーコードリーダ１２を個別に特定することができる。
【００３６】
バーコードリーダ１２は、連番テープ１１に表示されたバーコード１４を読み取り、読み取ったバーコード１４が表すデータをデジタル信号としてコンピュータ１３に転送する。なお、図示はしていないが、各バーコードリーダ１２には、テンキーユニットやディスプレイが附属している。テンキーユニットを利用し、バーコードリーダ１２からコンピュータ１３に必要なデータを送信することができ、ディスプレイを利用し、バーコードリーダ１２からコンピュータ１３に送信するデータを表示、確認することができるとともに、コンピュータ１３からのメッセージを表示、確認することができる。
【００３７】
コンピュータ１３は、中央処理部（ＣＰＵまたはＭＰＵ）とメモリ（記憶部）とを有し、大容量ハードディスクを内蔵している。図１には３台のコンピュータ１３（携帯用ノート型コンピュータ）が図示されているが、コンピュータ１３の台数に特に限定はなく、コンピュータ１３が１台または４台以上であってもよい。解体前管理において各コンピュータ１３の１台に各バーコードリーダ１２の１台以上を接続してバーコード１４の読み取り作業やデータの格納作業が行われる。なお、コンピュータ１３には、プライベートＩＰアドレスやＭＡＣアドレスが設定されており、それらアドレス情報に基づいて各コンピュータ１３を個別に特定することができる。コンピュータ１３には、通信ポートが内蔵され、キーボード１５やマウス１６等の入力装置、ディスプレイ１７やプリンタ（図示せず）等の出力装置がインターフェイスを介して接続されている。
【００３８】
コンピュータ１３は、ホスト名とそのホスト名に割り当てるＩＰアドレスとの対応付けを設定するＤＮＳサーバ機能、ホームページを公開するために必要なＷｅｂサーバ機能、他のコンピュータや他のサーバからの要求を受け付けて各種情報を読み書きする機能を提供するデータベースサーバ機能、電子メールの送受信用のメールサーバ機能、作成された文章や画像等のデータをすべて保存してそれらのデータを検索可能にするドキュメントサーバ機能等を有する。各コンピュータ１３は、インターネットに接続可能であり、ネットワーク間において各種データを送受信可能である。ネットワーク内では、コンピュータ１３どうしで各種データを送受信可能である。
【００３９】
コンピュータ１３には、バーコードリーダ１２のアドレス情報やバーコードリーダ１２が読み取ったバーコード１４が表すデータがデジタルデータとして入力される。コンピュータ１３のメモリには、解体物管理アプリケーションが格納されている。コンピュータ１３の中央処理部は、オペレーティングシステムによる制御に基づいて、メモリに格納された解体物管理アプリケーションを起動し、そのアプリケーションに従って後記する各手段を実行する。
【００４０】
図３は、鉄筋鉄骨コンクリート建築物に設備されたテーブル１８の斜視図であり、図４は、鉄筋鉄骨コンクリート建築物に設備されたロッカー１９の斜視図である。図５は、テーブル１８の解体作業の一例を示す図であり、図６は、ロッカー１９の解体作業の一例を示す図である。図３では、テーブル１８に連番テープ１１が貼付され、そのテープ１１のバーコード１４がバーコードリーダ１２によって読み取られている。図４では、ロッカー１９に連番テープ１１が貼付され、そのテープのバーコード１４がバーコードリーダ１２によって読み取られている。解体対象の建造物には、建築物や乗物等の人工的に作られたあらゆる物が含まれる。図３，４では、建造物の設備物としてテーブル１８、ロッカー１９を例示しているが、設備物をそれらに限定するものではなく、建造物に設備される他のあらゆる設備物が含まれる。
【００４１】
この解体管理システム１０を利用しつつ、鉄筋鉄骨コンクリート建築物（建造物）（図示せず）に設備されたテーブル１８（設備物）やロッカー１９（設備物）を解体する手順を説明すると、以下のとおりである。最初に、鉄筋鉄骨コンクリート建築物に設備された解体対象の設備物（テーブル１８、ロッカー１９）を区分けする。解体対象の設備物を区分けした後、その設備物に連番テープ１１を貼付する。具体的には、図３に示すように、テーブル１８に連番テープ１１をランダムに貼付し、図４に示すように、ロッカー１９に連番テープ１１をランダムに貼付する。
【００４２】
連番テープ１１のテーブル１８やロッカー１９に対する貼付箇所や貼付長さに特に限定はなく、設備物や解体物の大きさ、解体数等を参酌し、テーブル１８やロッカー１９の任意の箇所に貼付するとともに、テーブル１８やロッカー１９に任意の長さを貼付することができる。また、テーブル１８やロッカー１９に貼付する連番テープ１１に表示されたバーコード１４の数に特に限定はなく、任意の数のバーコード１４を貼付することができる。
【００４３】
連番テープ１１をテーブル１８に貼付した後、図３に示すように、テープ１１に表示されたバーコード１４のうち、先頭に位置するバーコード１４をバーコードリーダ１２によって読み取るとともに、最後尾に位置するバーコード１４をバーコードリーダ１２によって読み取る。なお、先頭に位置するバーコード１４と最後尾に位置するバーコード１４との間に並ぶ中間のバーコード１４は読み取らない。
【００４４】
さらに、バーコードリーダ１２のテンキーユニットまたはコンピュータ１３のキーボード１５やマウス１６を利用し、鉄筋鉄骨コンクリート建築物（名称）を入力するとともに（ディスプレイ１７に表示された建造物表示のプルダウンリストから鉄筋鉄骨コンクリート建築物を選択することもできる）、テーブル（名称）を入力する（ディスプレイ１７に表示された設備物表示のプルダウンリストからテーブルを選択することもできる）。
【００４５】
バーコードリーダ１２のテンキーユニットまたはコンピュータ１３のキーボード１５やマウス１６を利用し、鉄筋鉄骨コンクリート建築物の特定情報（名称、住所、地図、写真、電話番号、ＵＲＬ等）、解体日時（年月日、時間）、用途、建物容積等の属性を入力するとともに（建造物属性入力）、テーブル１８の特定情報（テーブル名、１階ショールームの１番テーブル、２階事務室の３番テーブル等）、解体日時（年月日、時間）、材質（木製、コンクリート製、モルタル製、金属製等）、強度等の属性を入力する（設備物属性入力）。なお、入力可能な建造物の属性に特に限定はなく、例示の属性に限らず、建造物の物性や性状等の他のあらゆる属性を入力することができる。また、入力可能な設備物の属性に特に限定はなく、例示の属性に限らず、設備物の物性や性状等の他のあらゆる属性を入力することができる。
【００４６】
バーコードリーダ１２は、読み取ったバーコード１４が表すデータ（先頭番号データ、最後尾番号データ）、鉄筋鉄骨コンクリート建築物を表す建造物データ、鉄筋鉄骨コンクリート建築物の建造物属性データ、テーブル１８を表す設備物データ、テーブル１８の設備物属性データをデジタルデータに変換し、それらデータをコンピュータ１３に転送する。コンピュータ１３の中央処理部は、バーコードリーダ１２からそれらデータを受け取ると、その鉄筋鉄骨コンクリート建築物（建造物）を特定する建造物特定識別番号（建造物特定識別子）を生成するとともに、そのテーブル１８（設備物）を特定する設備物特定識別番号（設備物特定識別子）を生成する。
【００４７】
それら識別番号を生成した後、コンピュータ１３の中央処理部は、建造物特定識別番号に設備物特定識別番号を関連付けるとともに、バーコードリーダ１２から転送された先頭番号から最後尾番号までの番号データ（たとえば、先頭番号が０００１、最後尾番号が００２０の場合、０００１〜００２０までの番号）を建造物特定識別番号と設備物特定識別番号とに関連付ける。さらに、転送された建造物属性データを建造物特定識別番号と設備物特定識別番号とに関連付けるとともに、転送された設備物属性データを設備物特定識別番号に関連付ける。それらの関連づけが完了した後、中央処理部は、建造物特定識別番号、設備物特定識別番号、番号データ、建築物の建造物属性データ、テーブル１８の設備物属性データをハードディスクに格納する（設備物格納手段）。バーコードリーダ１２やコンピュータ１３のディスプレイ１７には、建築物→テーブル１８のデータ格納完了メッセージが表示される。
【００４８】
建築物→テーブル１８のデータ格納完了メッセージを確認した後、そのテーブル１８の解体作業を行う。解体作業では、図５に示すように、テーブル１８を細かく解体し、テーブル１８を複数個の解体物２０に分解する。解体されたテーブル１８の解体物２０には連番テープ１１が残存しており、そのテープ１１に表示されたバーコード１４が１つの場合、２つの場合、３つの場合等がある。なお、テーブル１８のそれら解体物２０に貼付された連番テープ１１には、少なくとも１つのバーコード１４が読み取り可能に残存している必要がある。
【００４９】
連番テープ１１をロッカー１９に貼付した後、図４に示すように、テープ１１に表示されたバーコード１４のうち、先頭に位置するバーコード１４をバーコードリーダ１２によって読み取るとともに、最後尾に位置するバーコード１４をバーコードリーダ１２によって読み取る。さらに、バーコードリーダ１２のテンキーユニットまたはコンピュータ１３のキーボード１５やマウス１６を利用し、鉄筋鉄骨コンクリート建築物（名称）を入力するとともに、ロッカー（名称）を入力する（ディスプレイ１７に表示された設備物表示のプルダウンリストからロッカーを選択することもできる）。
【００５０】
バーコードリーダ１２のテンキーユニットまたはコンピュータ１３のキーボード１５やマウス１６を利用し、鉄筋鉄骨コンクリート建築物の特定情報（名称、住所、地図、電話番号、ＵＲＬ等）、解体日時（年月日、時間）、用途、建物容積等の属性を入力するとともに（建造物属性入力）、ロッカー１９の特定情報（ロッカー名、３階作業室、４階会議室等）、解体日時（年月日、時間）、材質（木製、コンクリート製、モルタル製、金属製等）、強度を入力する（設備物属性入力）。
【００５１】
バーコードリーダ１２は、読み取ったバーコード１４が表すデータ（先頭番号データ、最後尾番号データ）、鉄筋鉄骨コンクリート建築物を表す建造物データ、鉄筋鉄骨コンクリート建築物の建造物属性データ、ロッカー１９を表す設備物データ、ロッカー１９の設備物属性データをデジタルデータに変換し、それらデータをコンピュータ１３に転送する。コンピュータ１３の中央処理部は、バーコードリーダ１２からそれらデータを受け取ると、そのロッカー１９（設備物）を特定する設備物特定識別番号（設備物特定識別子）を生成する。
【００５２】
設備物特定識別番号を生成した後、コンピュータ１３の中央処理部は、テーブル１８の解体において生成した建造物特定識別番号に設備物特定識別番号を関連付けるとともに、バーコードリーダ１２から転送された先頭番号から最後尾番号までの番号データ（たとえば、先頭番号が００５０、最後尾番号が００８０の場合、００５０〜００８０までの番号）を建造物特定識別番号と設備物特定識別番号とに関連付ける。さらに、転送された建造物属性データを建造物特定識別番号と設備物特定識別番号とに関連付けるとともに、転送された設備物属性データを設備物特定識別番号に関連付ける。それらの関連づけが完了した後、中央処理部は、建造物特定識別番号、設備物特定識別番号、番号データ、建築物の建造物属性データ、ロッカー１９の設備物属性データをハードディスクに格納する（設備物格納手段）。バーコードリーダ１２やコンピュータ１３のディスプレイ１７には、建築物→設備１９のデータ格納完了メッセージが表示される。
【００５３】
建築物→ロッカー１９のデータ格納完了メッセージを確認した後、ロッカー１９の解体作業を行う。解体作業では、図６に示すように、ロッカー１９を細かく解体し、ロッカー１９を複数個の解体物２１に分解する。解体されたロッカー１９の解体物２１には連番テープ１１が残存しており、そのテープ１１に表示されたバーコード１４が１つの場合、２つの場合、３つの場合等がある。なお、ロッカー１９のそれら解体物２１に貼付された連番テープ１１には、少なくとも１つのバーコード１４が読み取り可能に残存している必要がある。
【００５４】
図７は、テーブル１８を解体した後の解体物２０を示す図であり、図８は、ロッカー１９を解体した後の解体物２１を示す図である。図７では、テーブル１８の解体物２０を１つだけ示し、他の解体物の図示を省略している。図８では、ロッカー１９の解体物２１を１つだけ示し、他の解体物の図示を省略している。図７，８では、それら解体物２０，２１に貼付された連番テープ１１のバーコード１４がバーコードリーダ１２によって読み取られている。
【００５５】
テーブル１８を解体した解体物２０は、廃棄処分されるが、廃棄処分前や廃棄処分時、廃棄処分後に、バーコードリーダ１２を利用して解体物２０（テーブル１８の解体物２０）に貼付された連番テープ１１のバーコード１４を読み取ることで、その解体物２０が解体される以前の建造物（鉄筋鉄骨コンクリート建築物）および設備物（テーブル１８）、その鉄筋鉄骨コンクリート建築物およびそのテーブル１８の各属性を確認することができる。
【００５６】
解体物２０の連番テープ１１のバーコード１４を読み取ると、そのバーコード１４が表す番号データがバーコードリーダ１２からコンピュータ１３に転送される。コンピュータ１３は、バーコードリーダ１２から転送された番号データ（たとえば、０００５）とハードディスクに格納された番号データ（０００１〜００２０）とを比較し、解体物２０がテーブル１８の解体物２０であると判断する（設備物特定手段）。
【００５７】
コンピュータ１３は、テーブル１８の設備物特定識別番号に対応する建造物特定識別番号を特定し、その建造物特定識別番号に対応する鉄筋鉄骨コンクリート建築物を特定する。さらに、建造物特定識別番号と設備物特定識別番号とに対応する建造物属性データを特定し、設備物特定識別番号に対応する設備物属性データを特定する。そのテーブル１８が設備されていた鉄筋鉄骨コンクリート建築物の属性データ（特定情報、解体日時、用途、建物容積時等）、そのテーブル１８の属性データ（特定情報、解体日時、材質、強度等）をハードディスクから取り出し、鉄筋鉄骨コンクリート建築物・テーブル１８をディスプレイ１７に表示するとともに、それら属性データや番号データをディスプレイ１７に表示する。ディスプレイ１７に表示された各データは、プリンタから出力することができる。
【００５８】
ロッカー１９を解体した解体物２１は、廃棄処分されるが、廃棄処分前や廃棄処分時、廃棄処分後に、バーコードリーダ１２を利用して解体物２１（ロッカー１９の解体物２１）に貼付された連番テープ１１のバーコード１４を読み取ることで、その解体物２１が解体される以前の建造物（鉄筋鉄骨コンクリート建築物）および設備物（ロッカー１９）、その鉄筋鉄骨コンクリート建築物およびそのロッカー１９の属性等を確認することができる。
【００５９】
解体物２１の連番テープ１１のバーコード１４を読み取ると、そのバーコード１４が表す番号データがバーコードリーダ１２からコンピュータ１３に転送される。コンピュータ１３は、バーコードリーダ１２から転送された番号データ（たとえば、００６５）とハードディスクに格納された番号データ（００５０〜００８０）とを比較し、解体物２１がロッカー１９の解体物２１であると判断する（設備物特定手段）。
【００６０】
コンピュータ１３は、ロッカー１９の設備物特定識別番号に対応する建造物特定識別番号を特定し、その建造物特定識別番号に対応する鉄筋鉄骨コンクリート建築物を特定する。さらに、建造物特定識別番号と設備物特定識別番号とに対応する建造物属性データを特定し、設備物特定識別番号に対応する設備物属性データを特定する。そのロッカー１９が設備されていた鉄筋鉄骨コンクリート建築物の属性データ（特定情報、解体日時、用途、建物容積等）、そのロッカー１９の属性データ（特定情報、解体日時、材質、強度等）をハードディスクから取り出し、鉄筋鉄骨コンクリート建築物・ロッカー１９をディスプレイ１７に表示するとともに、それら属性データや番号データをディスプレイ１７に表示する。ディスプレイ１７に表示された各データは、プリンタから出力することができる。
【００６１】
解体物管理システム１０は、解体前管理において、連番テープ１１がテーブル１８やロッカー１９（設備物）に貼付され、テーブル１８やロッカー１９に貼付されたテープ１１のバーコード１４が表す番号のうちの先頭番号と最後尾番号とがバーコードリーダ１２によって読み取られ、コンピュータ１３がテーブル１８やロッカー１９を特定する設備物特定識別番号と先頭番号から最後尾番号までの番号とを関連付けて格納し、解体後管理において、テーブル１８やロッカー１９を解体した後の複数の解体物２０，２１に貼付された連番テープ１１のバーコード１４がバーコードリーダ１２によって読み取られ、コンピュータ１３がそれら解体物２０，２１に貼付されたテープ１１のバーコード１４が表す番号に対応する設備物特定識別番号からそれら解体物２０，２１が属するテーブル１８やロッカー１９を特定するとともに、テーブル１８やロッカー１９が属する鉄筋鉄骨コンクリート建築物を特定するから、連番テープ１１に表示されたバーコード１４を利用することで、複数の解体物２０，２１が属する建造物や設備物を各解体物２０，２１毎に特定することができ、テーブル１８やロッカー１９の解体後にそれら解体物２０，２１が属していた建造物や設備物（テーブル１８やロッカー１９）を追跡かつ把握することができる。
【００６２】
解体物管理システム１０は、鉄筋鉄骨コンクリート建築物を構成するテーブル１８やロッカー１９が細かく解体されて複数の解体物２０，２１が発生したとしても、それら解体物２０，２１に貼付された連番テープ１１のバーコード１４を介してそれら解体物２０，２１の解体前の設備物（テーブル１８やロッカー１９）を各解体物２０，２１毎に確実に特定することができる。解体物管理システム１０は、連番テープ１１のバーコード１４を利用してそれら解体物２０，２１の解体前の設備物を特定することができるから、テーブル１８やロッカー１９を解体した解体物２０，２１がその設備物の解体物群からはぐれたり、テーブル１８やロッカー１９を解体した解体物２０，２１が他の設備物の解体物として紛れ込んだとしても、それら解体物２０，２１の解体前の設備物を明らかにすることができ、解体物２０，２１の帰属不明を防ぐことができる。
【００６３】
解体物管理システム１０は、鉄筋鉄骨コンクリート建築物の属性が建造物特定識別番号に関連付けられた状態でコンピュータ１３に格納され、テーブル１８やロッカー１９の属性が設備物特定識別番号に関連付けられた状態でコンピュータ１３に格納されているから、テーブル１８やロッカー１９の解体後であっても連番テープ１１のバーコード１４を利用して解体物２０，２１が属する建造物や設備物の属性を各解体物２０，２１毎に把握することができ、解体物２０，２１を各建造物毎であって属性毎に区分して管理することができるとともに、解体物２０，２１を各設備物毎であって属性毎に区分して管理することができる。
【００６４】
図９は、解体物管理システム１０を利用して解体される原子力発電所２２の一例を示す図である。連番テープ１１とバーコードリーダ１２とコンピュータ１３とから形成された図１に示す解体物管理システム１０は、原子力発電所２２（建造物）の解体に有効に利用することができる。なお、システム１０は、原子力発電所２２のみならず、他の原子力関連施設（建造物）の解体にも有効に利用することができる。他の原子力関連施設には、中間貯蔵施設、再処理工場、ＭＯＸ燃料工場、高速増殖炉、高速増殖炉用燃料工場、高速増殖炉用再処理工場、高レベル放射性廃棄物最終処分施設等がある。
【００６５】
原子力発電所２２は、中央制御室２３、タービン建屋２４、原子炉建屋２５から形成されている。原子力発電所２２の解体では、放射能漏れや放射能汚染を厳格に防ぐ目的から、その解体物が厳しく管理されるとともに、解体物が属する解体前の設備物を解体後に追跡かつ把握可能であることが要求される。さらに、解体物が属する設備物の属性が解体後に追跡かつ把握可能であることが要求され、解体物の属性毎の管理が要求される。
【００６６】
図１０は、原子力発電所２２の解体に利用される連番テープ１１（ａ）〜１１（ｂ）の一例を示す図であり、図１１は、連番テープ１１（ｄ）〜１１（ｆ）の他の一例を示す図である。図１２は、連番テープ１１（ｇ）〜１１（ｉ）の他の一例を示す図である。それら図に示す連番テープ１１（ａ）〜１１（ｉ）は、各種複数の色、色彩（有彩色および無彩色）の各種複数の濃淡、各種複数の形、各種複数の記号によって区分されている。それらテープ１１（ａ）〜１１（ｉ）は、その色が原子力発電所２２の設備物の各種の属性に対応し、その色彩の濃淡が設備物の各種の属性に対応するとともに、その形が設備物の各種の属性に対応し、その記号が設備物の各種の属性に対応している。
【００６７】
連番テープ１１（ａ）〜１１（ｉ）は、図示はしていないが、図１と同様に、その平面形状が細長い帯に成型され、その帯を巻き取った巻物状に加工されている。それらテープ１１（ａ）〜１１（ｉ）の表面には、連続する無制限の番号を表す複数のバーコード１４が表示（印刷）されている。テープ１１（ａ）〜１１（ｉ）は、合成樹脂シートまたは紙シート若しくは合成樹脂シートと紙シートとの複合シートから作られ、その裏面に粘着剤が塗布されている。
【００６８】
連番テープ１１（ａ）〜１１（ｉ）の色に対応する原子力発電所２２の設備物の属性には、設備物の放射性物質による汚染レベル、設備物の名称、設備物の材質、設備物の危険性等があるが、連番テープ１１（ａ）〜１１（ｉ）の色に対応する設備物の属性に特に限定はなく、属性を自由に設定することができる。テープ１１（ａ）〜１１（ｉ）の色にも特に限定はなく、目視可能かつ識別可能な全ての色が含まれる。
【００６９】
テープ１１（ａ）〜１１（ｉ）の色彩の濃淡に対応する設備物の属性には、設備物の放射性物質による汚染レベル、設備物の名称、設備物の材質、設備物の危険性等があるが、連番テープ１１（ａ）〜１１（ｉ）の色彩の濃淡に対応する設備物の属性に特に限定はなく、属性を自由に設定することができる。テープ１１（ａ）〜１１（ｉ）の色彩の濃淡にも特に限定はなく、テープ１１（ａ）〜１１（ｉ）の色彩の濃淡を自由に設定することができる。
【００７０】
テープ１１（ａ）〜１１（ｉ）の形に対応する設備物の属性には、設備物の放射性物質による汚染レベル、設備物の名称、設備物の材質、設備物の危険性等があるが、連番テープ１１（ａ）〜１１（ｉ）の形に対応する設備物の属性に特に限定はなく、属性を自由に設定することができる。テープ１１（ａ）〜１１（ｉ）の形にも特に限定はなく、テープ１１（ａ）〜１１（ｉ）の形を自由に設定することができる。
【００７１】
テープ１１（ａ）〜１１（ｉ）の記号に対応する設備物の属性には、設備物の放射性物質による汚染レベル、設備物の名称、設備物の材質、設備物の危険性等があるが、連番テープ１１（ａ）〜１１（ｉ）の形に対応する設備物の属性に特に限定はなく、属性を自由に設定することができる。テープ１１（ａ）〜１１（ｉ）の記号にも特に限定はなく、テープ１１（ａ）〜１１（ｉ）の記号を自由に設定することができる。
【００７２】
図１０に示す連番テープ１１（ａ）〜１１（ｃ）のうちの（ａ）のテープ１１（ａ）は、長さ方向へ円弧を画くように起伏する形であり、１番薄い青色に着色され、記号（Ａ）が表示されている。テープ１１（ａ）は、その一例として、中央制御室２３の設備物であるドア２６の解体に利用され、ドア２６の属性の一例として、名称（ドア）（たとえば、テープの形が名称を表す。）、材質（木製）（たとえば、テープの色が材質を表す。）、放射性物質の汚染レベル（低）（たとえば、テープの色彩の濃淡が放射性物質の汚染レベルを表す。）、危険性（小）（たとえば、テープの記号が危険性を表す。）を表す。
【００７３】
図１０の（ａ）のテープ１１（ａ）に表示されたバーコード１４には、番号データを表すコードのみならず、テープ１１（ａ）の色を表すコード、テープ１１（ａ）の色彩の濃淡を表すコード、テープ１１（ａ）の形を表すコード、テープ１１（ａ）の記号を表すコードが含まれている（ただし、バーコード１４にそれらのコードが含まれていない場合もある。）。コンピュータ１３のハードディスクには、複数の原子力発電所の原子力発電所コードとそれらコードに対応する複数の建造物特定識別番号（建造物特定識別子）とが格納され、中央制御室コードやタービン建屋コード、原子炉建屋コード等とそれらコードに対応する複数の建造物特定識別番号（建造物特定識別子）とが格納されている。
【００７４】
コンピュータ１３のハードディスクには、テープ１１（ａ）の色を表すコードデータ、テープ１１（ａ）の色彩の濃淡を表すコードデータ、テープ１１（ａ）の形を表すコードデータ、テープ１１（ａ）の記号を表すコードデータ、中央制御室２３のドア２６の前記属性データ（名称（ドア）、材質（木製）、放射性物質の汚染レベル（低）、危険性（小））が互いに関連付けられた状態で格納されている。
【００７５】
図１０に示す連番テープ１１（ａ）〜１１（ｃ）のうちの（ｂ）のテープ１１（ｂ）は、長さ方向へ円弧を画くように起伏する形であり、２番目に濃い青色に着色され、記号（Ｂ）が表示されている。テープ１１（ｂ）は、その一例として、タービン建屋２４の設備物であるドア２７の解体に利用され、ドア２７の属性の一例として、名称（ドア）、材質（木製）、放射性物質の汚染レベル（中）、危険性（中）を表す。
【００７６】
図１０の（ｂ）のテープ１１（ｂ）に表示されたバーコード１４には、番号データを表すコードのみならず、テープ１１（ｂ）の色を表すコード、テープ１１（ｂ）の色彩の濃淡を表すコード、テープ１１（ｂ）の形を表すコード、テープ１１（ｂ）の記号を表すコードが含まれている（ただし、バーコード１４にそれらのコードが含まれていない場合もある。）。コンピュータ１３のハードディスクには、テープ１１（ｂ）の色を表すコードデータ、テープ１１（ｂ）の色彩の濃淡を表すコード、テープ１１（ｂ）の形を表すコードデータ、テープ１１（ｂ）の記号を表すコードデータ、タービン建屋２４のドア２７の前記属性データ（名称（ドア）、材質（木製）、放射性物質の汚染レベル（中）、解体危険性（中））が互いに関連付けられた状態で格納されている。
【００７７】
図１０に示す連番テープ１１（ａ）〜１１（ｃ）のうちの（ｃ）のテープ１１（ｃ）は、長さ方向へ円弧を画くように起伏する形であり、１番濃い青色に着色され、記号（Ｃ）が表示されている。テープ１１（ｃ）は、その一例として、原子炉建屋２５の設備物であるドア２８の解体に利用され、ドア２８の属性の一例として、名称（ドア）、材質（木製）、放射性物質の汚染レベル（高）、危険性（高）を表す。
【００７８】
図１０の（ｃ）のテープ１１（ｃ）に表示されたバーコード１４には、番号データを表すコードのみならず、テープ１１（ｃ）の色を表すコード、テープ１１（ｃ）の色彩の濃淡を表すコード、テープ１１（ｃ）の形を表すコード、テープ１１（ｃ）の記号を表すコードが含まれている（ただし、バーコード１４にそれらのコードが含まれていない場合もある。）。コンピュータ１３のハードディスクには、テープ１１（ｃ）の色を表すコードデータ、テープ１１（ｃ）の色彩の濃淡を表すコードデータ、テープ１１（ｃ）の形を表すコードデータ、テープ１１（ｃ）の記号を表すコードデータ、原子炉建屋２５のドア２８の前記属性データ（名称（ドア）、材質（木製）、放射性物質の汚染レベル（高）、解体危険度（高））が互いに関連付けられた状態で格納されている。
【００７９】
図１１に示す連番テープ１１（ｄ）〜１１（ｆ）のうちの（ａ）のテープ１１（ｄ）は、長さ方向へ複数の三角形を画く形であり、１番薄い黄色に着色され、記号（Ａ）が表示されている。図１１の（ａ）のテープ１１（ｄ）は、その一例として、中央制御室２３の設備物である照明器具２９の解体に利用され、照明器具２９の属性の一例として、名称（照明器具）（たとえば、テープの形が名称を表す。）、材質（合成樹脂製）（たとえば、テープの色が材質を表す。）、放射性物質の汚染レベル（低）（たとえば、テープの色彩の濃淡が放射性物質の汚染レベルを表す。）、危険性（小）（たとえば、テープの記号が危険性を表す。）を表す。
【００８０】
図１１の（ａ）のテープ１１（ｄ）に表示されたバーコード１４には、番号データを表すコードのみならず、テープ１１（ｄ）の色を表すコード、テープ１１（ｄ）の色彩の濃淡を表すコード、テープ１１（ｄ）の形を表すコード、テープ１１（ｄ）の記号を表すコードが含まれている（ただし、バーコード１４にそれらのコードが含まれていない場合もある。）。コンピュータ１３のハードディスクには、テープ１１（ｄ）の色を表すコードデータ、テープ１１（ｄ）の色彩の濃淡を表すコードデータ、テープ１１（ｄ）の形を表すコードデータ、テープ１１（ｄ）の記号を表すコードデータ、中央制御室２３の照明器具２９の前記属性データ（名称（照明器具）、材質（合成樹脂製）、放射性物質の汚染レベル（低）、危険性（小））が互いに関連付けられた状態で格納されている。
【００８１】
図１１に示す連番テープ１１（ｄ）〜１１（ｆ）のうちの（ｂ）のテープ１１（ｅ）は、長さ方向へ複数の三角形を画く形であり、２番目に濃い黄色に着色され、記号（Ｂ）が表示されている。テープ１１（ｅ）は、その一例として、タービン建屋２４の設備物である照明器具３０の解体に利用され、照明器具３０の属性の一例として、名称（照明器具）、材質（合成樹脂製）、放射性物質の汚染レベル（中）、危険性（中）を表す。
【００８２】
図１１の（ｂ）のテープ１１（ｅ）に表示されたバーコード１４には、番号データを表すコードのみならず、テープ１１（ｅ）の色を表すコード、テープ１１（ｅ）の色彩の濃淡を表すコード、テープ１１（ｅ）の形を表すコード、テープ１１（ｅ）の記号を表すコードが含まれている（ただし、バーコード１４にそれらのコードが含まれていない場合もある。）。コンピュータ１３のハードディスクには、テープ１１（ｅ）の色を表すコードデータ、テープ１１（ｅ）の色彩の濃淡を表すコードデータ、テープ１１（ｅ）の形を表すコードデータ、テープ１１（ｅ）の記号を表すコードデータ、タービン建屋２４の照明器具３０の前記属性データ（名称（照明器具）、材質（合成樹脂製）、放射性物質の汚染レベル（中）、危険性（中））が互いに関連付けられた状態で格納されている。
【００８３】
図１１に示す連番テープ１１（ｄ）〜１１（ｆ）のうちの（ｃ）のテープ１１（ｆ）は、長さ方向へ複数の三角形を画く形であり、１番濃い黄色に着色され、記号（Ｃ）が表示されている。テープ１１（ｆ）は、その一例として、原子炉建屋２５の設備物である照明器具３１の解体に利用され、照明器具３１の属性の一例として、名称（柱）、材質（合成樹脂製）、放射性物質の汚染レベル（高）、危険性（高）を表す。
【００８４】
図１１の（ｃ）のテープ１１（ｆ）に表示されたバーコード１４には、番号データを表すコードのみならず、テープ１１（ｆ）の色を表すコード、テープ１１（ｆ）の色彩の濃淡を表すコード、テープ１１（ｆ）の形を表すコード、テープ１１（ｆ）の記号を表すコードが含まれている（ただし、バーコード１４にそれらのコードが含まれていない場合もある。）。コンピュータ１３のハードディスクには、テープ１１（ｆ）の色を表すコードデータ、テープ１１（ｆ）の色彩の濃淡を表すコードデータ、テープ１１（ｆ）の形を表すコードデータ、テープ１１（ｆ）の記号を表すコードデータ、原子炉建屋２５の照明器具３１の前記属性データ（名称（照明器具）、材質（合成樹脂製）、放射性物質の汚染レベル（高）、危険性（高））が互いに関連付けられた状態で格納されている。
【００８５】
図１２に示す連番テープ１１（ｇ）〜１１（ｉ）のうちの（ａ）のテープ１１（ｇ）は、長さ方向へ複数の四角形を画く形であり、１番薄い赤色に着色され、記号（Ａ）が表示されている。図１２の（ａ）のテープ１１（ｇ）は、その一例として、中央制御室２３の設備物であるダクト３２の解体に利用され、ダクト３２の属性の一例として、名称（通気ダクトまたは排気ダクト）（たとえば、テープの形が名称を表す。）、材質（金属）（たとえば、テープの色が材質を表す。）、放射性物質の汚染レベル（低）（たとえば、テープの色彩の濃淡が放射性物質の汚染レベルを表す。）、危険性（小）（たとえば、テープの記号が危険性を表す。）を表す。
【００８６】
図１２の（ａ）のテープ１１（ｇ）に表示されたバーコード１４には、番号データを表すコードのみならず、テープ１１（ｇ）の色を表すコード、テープ１１（ｇ）の色彩の濃淡を表すコード、テープ１１（ｇ）の形を表すコード、テープ１１（ｇ）の記号を表すコードが含まれている（ただし、バーコード１４にそれらのコードが含まれていない場合もある。）。コンピュータ１３のハードディスクには、テープ１１（ｇ）の色を表すコードデータ、テープ１１（ｇ）の色彩の濃淡を表すコードデータ、テープ１１（ｇ）の形を表すコードデータ、テープ１１（ｇ）の記号を表すコードデータ、中央制御室２３のダクト３２の前記属性データ（名称（ダクト）、材質（金属）、放射性物質の汚染レベル（低）、危険性（小））が互いに関連付けられた状態で格納されている。
【００８７】
図１２に示す連番テープ１１（ｇ）〜１１（ｉ）のうちの（ｂ）のテープ１１（ｈ）は、長さ方向へ複数の四角形を画く形であり、２番目に濃い赤色に着色され、記号（Ｂ）が表示されている。テープ１１（ｈ）は、その一例として、タービン建屋２４の設備物であるダクト３３の解体に利用され、ダクト３３の属性の一例として、名称（通気ダクトまたは排気ダクト）、材質（金属）、放射性物質の汚染レベル（中）、危険性（中）を表す。
【００８８】
図１２の（ｂ）のテープ１１（ｈ）に表示されたバーコード１４には、番号データを表すコードのみならず、テープ１１（ｈ）の色を表すコード、テープ１１（ｈ）の色彩の濃淡を表すコード、テープ１１（ｈ）の形を表すコード、テープ１１（ｈ）の記号を表すコードが含まれている（ただし、バーコード１４にそれらのコードが含まれていない場合もある。）。コンピュータ１３のハードディスクには、テープ１１（ｈ）の色を表すコードデータ、テープ１１（ｈ）の色彩の濃淡を表すコードデータ、テープ１１（ｈ）の形を表すコードデータ、テープ１１（ｈ）の記号を表すコードデータ、タービン建屋２４のダクト３３の前記属性データ（名称（ダクト）、材質（金属）、放射性物質の汚染レベル（中）、危険性（中））が互いに関連付けられた状態で格納されている。
【００８９】
図１２に示す連番テープ１１（ｇ）〜１１（ｉ）のうちの（ｃ）のテープ１１（ｉ）は、長さ方向へ複数の四角形を画く形であり、１番濃い赤色に着色され、記号（Ｃ）が表示されている。テープ１１（ｉ）は、その一例として、原子炉建屋２５の設備物であるダクト３４の解体に利用され、ダクト３４の属性の一例として、名称（通気ダクトまたは排気ダクト）、材質（金属）、放射性物質の汚染レベル（高）、危険性（高）を表す。
【００９０】
図１２の（ｃ）のテープ１１（ｉ）に表示されたバーコード１４には、番号データを表すコードのみならず、テープ１１（ｉ）の色を表すコード、テープ１１（ｉ）の色彩の濃淡を表すコード、テープ１１（ｉ）の形を表すコード、テープ１１（ｉ）の記号を表すコードが含まれている（ただし、バーコード１４にそれらのコードが含まれていない場合もある。）。コンピュータ１３のハードディスクには、テープ１１（ｉ）の色を表すコードデータ、テープ１１（ｉ）の色彩の濃淡を表すコードデータ、テープ１１（ｈ）の形を表すコードデータ、テープ１１（ｈ）の記号を表すコードデータ、原子炉建屋２５のダクト３４の前記属性データ（名称（ダクト）、材質（金属）、放射性物質の汚染レベル（高）、危険性（高））が互いに関連付けられた状態で格納されている。
【００９１】
図１３は、図１０に示す連番テープ１１（ａ）〜１１（ｃ）が貼付されたドア２６〜２８の斜視図であり、図１４は、各ドア２６〜２８の解体作業の一例を示す図である。図１５は、各ドア２６〜２８を解体した後の解体物３５〜３７を示す図である。図１３では、中央制御室２３、タービン建屋２４、原子炉建屋２５の各ドア２６〜２８にテープ１１（ａ）〜１１（ｃ）が貼付され、それら連番テープ１１（ａ）〜１１（ｃ）に表示されたバーコード１４がバーコードリーダ１２によって読み取られている。図１５では、それらドア２６〜２８の解体物３５〜３７を１つだけ示し、それら解体物３５〜３７に貼付された連番テープ１１（ａ）〜１１（ｃ）のバーコード１４がバーコードリーダ１２によって読み取られている。図１３〜図１５に基づいてドア２６〜２８の解体を説明すると、以下のとおりである。
【００９２】
原子力発電所２２（建造物）の中央制御室２３、タービン建屋２４、原子炉建屋２５（建造物）に設備された解体対象の設備物（ドア、照明器具、ダクト）を区分けした後、それらドア２６〜２８に連番テープ１１（ａ）〜１１（ｃ）を貼付する。具体的には、図１３（ａ）に示すように、図１０の（ａ）のテープ１１（ａ）を中央制御室２３のドア２６の一面にランダムに貼付し、図１３（ｂ）に示すように、図１０の（ｂ）のテープ１１（ｂ）をタービン建屋２４のドア２７の一面にランダムに貼付するとともに、図１３（ｃ）に示すように、図１０の（ｃ）のテープ１１（ｃ）を原子炉建屋２５のドア２８の一面にランダムに貼付する。
【００９３】
それら連番テープ１１（ａ）〜１１（ｃ）を各ドア２６〜２８に貼付した後、テープ１１（ａ）〜１１（ｃ）に表示されたバーコード１４のうち、先頭に位置するバーコード１４をバーコードリーダ１２によって読み取るとともに、最後尾に位置するバーコード１４をバーコードリーダ１２によって読み取る。なお、先頭に位置するバーコード１４と最後尾に位置するバーコード１４との間に並ぶ中間のバーコード１４は読み取らない。
【００９４】
さらに、バーコードリーダ１２のテンキーユニットまたはコンピュータ１３のキーボード１５やマウス１６を利用し、原子力発電所２２の名称を入力し（ディスプレイ１７に表示された複数の原子力発電所のプルダウンリストから発電所名を選択することもできる。）、中央制御室、タービン建屋、原子炉建屋（名称）のいずれかを入力するとともに（ディスプレイ１７に表示された原子力発電所建造物のプルダウンリストからそれらを選択することもできる。）、ドア（名称）を入力する（ディスプレイ１７に表示された設備物表示のプルダウンリストからドアを選択することもできる）。
【００９５】
バーコードリーダ１２のテンキーユニットまたはコンピュータ１３のキーボード１５やマウス１６を利用し、原子力発電所２２の特定情報（名称、住所、地図、写真、電話番号、ＵＲＬ等）、中央制御室２３やタービン建屋２４、原子炉建屋２５の特定情報（名称、住所、地図、写真等）、解体日時（年月日、時間）、用途、建物容積等を入力するとともに（建造物属性入力）、ドア２６〜２８の特定情報（中央制御室２３の１番ドア、タービン建屋２４の出口ドア等）、解体日時（年月日、時間）、強度等を入力する（設備物属性入力）。なお、入力可能な原子力発電所２２や中央制御室２３、タービン建屋２４、原子炉建屋２５の属性に特に限定はなく、例示の属性に限らず、他のあらゆる属性を入力することができる。また、入力可能なドア２６〜２８の属性に特に限定はなく、例示の属性に限らず、他のあらゆる属性を入力することができる。
【００９６】
バーコードリーダ１２は、読み取ったバーコード１４が表すデータや入力されたデータをデジタルデータに変換し、それらデータをコンピュータ１３に転送する（キーボード１５やマウス１６からデータを入力した場合、バーコードリーダ１２は、読み取ったバーコード１４が表すデータのみをコンピュータ１３に転送する）。
【００９７】
コンピュータ１３の中央処理部は、バーコードリーダ１２からそれらデータを受け取ると、バーコードが表す番号、テープ１１（ａ）〜１１（ｃ）の色、テープ１１（ａ）〜１１（ｃ）の色彩の濃淡、テープ１１（ａ）〜１１（ｃ）の形、テープ１１（ａ）〜１１（ｃ）の記号、バーコードが表す各属性（名称、材質、放射性物質の汚染レベル、危険性）、入力された原子力発電所２２や中央制御室２３、タービン建屋２４、原子炉建屋２５の建造物属性およびドア２６〜２８の設備物属性をディスプレイ１７に表示する。
【００９８】
各データをディスプレイ１７に表示し、それらデータの確認が行われた後、コンピュータ１３の中央処理部は、原子力発電所２２や中央制御室２３、タービン建屋２４、原子炉建屋２５（建造物）を特定する建造物特定識別番号（建造物特定識別子）を生成するとともに、ドア２６〜２８（設備物）を特定する設備物特定識別番号（設備物特定識別子）を生成する。
【００９９】
建造物特定識別番号と設備物特定識別番号とを生成した後、コンピュータ１３の中央処理部は、原子力発電所２２を特定する建造物特定識別番号に設備物特定識別番号を関連付け、中央制御室２３、タービン建屋２４、原子炉建屋２５のいずれかを特定する建造物特定識別番号に設備物特定識別番号を関連付けるとともに、バーコードリーダ１２から転送された先頭番号から最後尾番号までの番号データ（たとえば、図１０（ａ）のテープ１１（ａ）の先頭番号が０００１、最後尾番号が００２０の場合、０００１〜００２０までの番号、図１０（ｂ）のテープ１１（ｂ）の先頭番号が００２１、最後尾番号が００４０の場合、００２１〜００４０までの番号、図１０（ｃ）のテープ１１（ｃ）の先頭番号が００４１、最後尾番号が００６０の場合、００４１〜００６０までの番号）を建造物特定識別番号と設備物特定識別番号とに関連付ける。
【０１００】
さらに、転送された建造物属性データを建造物特定識別番号と設備物特定識別番号とに関連付け、転送された設備物属性データを設備物特定識別番号に関連付けるとともに、バーコード１４が表す属性データを設備物特定識別番号に関連付ける。それらの関連づけが完了した後、コンピュータ１３の中央処理部は、建造物特定識別番号、設備物特定識別番号、番号データ、建造物属性データ、ドア２６〜２８の設備物属性データ、バーコード１４が表す属性データをハードディスクに格納する（設備物格納手段）。バーコードリーダ１２やコンピュータ１３のディスプレイ１７には、中央制御室２３→ドア２６、タービン建屋２４→ドア２７、原子炉建屋２５→ドア２８のデータ格納完了メッセージが表示される。
【０１０１】
各データがコンピュータ１３のハードディスクに格納された後、それらドア２６〜２８の解体作業を行う。解体作業では、図１４（ａ）〜（ｃ）に示すように、ドア２６〜２８を細かく解体し、ドア２６〜２８を複数個の解体物３５〜３７に分解する。解体されたドア２６〜２８の解体物３５〜３７には連番テープ１１（ａ）〜１１（ｃ）が残存しており、それらテープ１１（ａ）〜１１（ｃ）に表示されたバーコード１４が１つの場合、２つの場合、３つの場合等がある。なお、ドア２６〜２８のそれら解体物３５〜３７に貼付された連番テープ１１（ａ）〜１１（ｃ）には、少なくとも１つのバーコード１４が読み取り可能に残存している。
【０１０２】
ドア２６〜２８を解体した解体物３５〜３７の廃棄処分前や廃棄処分時、廃棄処分後に、図１５（ａ）〜（ｃ）に示すように、バーコードリーダ１２を利用して解体物３５〜３７（ドア２６〜２８の解体物３５〜３７）に貼付された連番テープ１１（ａ）〜１１（ｃ）のバーコード１４を読み取ることで、それら解体物３５〜３７が解体される以前の建造物（原子力発電所２２、中央制御室２３、タービン建屋２４、原子炉建屋２５）および設備物（ドア２６〜２８）を確認することができるとともに、それら建造物および設備物の属性等を確認することができる。
【０１０３】
解体物３５〜３７の連番テープ１１（ａ）〜１１（ｃ）のバーコード１４を読み取ると、そのバーコード１４が表す番号データがバーコードリーダ１２からコンピュータ１３に転送される。コンピュータ１３の中央処理部は、バーコードリーダ１２から転送された番号データとハードディスクに格納された番号データとを比較し、解体物３５〜３７がドア２６〜２８の解体物３５〜３７であると判断する（設備物特定手段）。
【０１０４】
たとえば、バーコードリーダ１２から転送された番号データが０００７である場合、ハードディスクに格納された番号データと比較し、その解体物３６が中央制御室２３に設備されていたドア２６の解体物３６であると判断する。バーコードリーダ１２から転送された番号データが００３５である場合、ハードディスクに格納された番号データと比較し、その解体物３７がタービン建屋２４に設備されていたドア２７の解体物３７であると判断する。さらに、バーコードリーダ１２から転送された番号データが００５３である場合、ハードディスクに格納された番号データと比較し、その解体物３８が原子炉建屋２５に設備されていたドア２８の解体物３８であると判断する。
【０１０５】
コンピュータ１３の中央処理部は、ドア２６〜２８（設備物）の設備物特定識別番号に対応する建造物特定識別番号を特定し、その建造物特定識別番号に対応する原子力発電所２２（建造物）を特定しつつ、中央制御室２３、タービン建屋２４、原子炉建屋２５のいずれかを特定する。さらに、建造物特定識別番号と設備物特定識別番号とに対応する建造物属性データを特定し、設備物特定識別番号に対応する設備物属性データを特定する。
【０１０６】
コンピュータ１３の中央処理部は、中央制御室２３→ドア２６やタービン建屋２４→ドア２７、原子炉建屋２５→ドア２８の別とともに、バーコードが表す番号、テープ１１（ａ）〜１１（ｃ）の色、テープ１１（ａ）〜１１（ｃ）の色彩の濃淡、テープ１１（ａ）〜１１（ｃ）の形、テープ１１（ａ）〜１１（ｃ）の記号、バーコード１４が表すドア２６〜２８の各属性（名称、材質、放射性物質の汚染レベル、危険性）、入力された原子力発電所２２や中央制御室２３、タービン建屋２４、原子炉建屋２５の建造物属性およびドア２６〜２８の設備物属性をディスプレイ１７に表示する。ディスプレイ１７に表示された各データは、プリンタから出力することができる。
【０１０７】
図１６は、図１１に示す連番テープ１１（ｄ）〜１１（ｆ）が貼付された照明装置２９〜３１の斜視図であり、図１７は、各照明器具２９〜３１の解体作業の一例を示す図である。図１８は、各照明器具２９〜３１を解体した後の解体物３８〜４０を示す図である。図１６では、中央制御室２３、タービン建屋２４、原子炉建屋２５の各照明器具２９〜３１にテープ１１（ｄ）〜１１（ｆ）が貼付され、それら連番テープ１１（ｄ）〜１１（ｆ）に表示されたバーコード１４がバーコードリーダ１２によって読み取られている。図１８では、それら照明器具２９〜３１の解体物３８〜４０を１つだけ示し、それら解体物３８〜４０に貼付された連番テープ１１（ｄ）〜１１（ｆ）のバーコード１４がバーコードリーダ１２によって読み取られている。図１６〜図１８に基づいて照明器具２９〜３１の解体を説明すると、以下のとおりである。
【０１０８】
原子力発電所２２（建造物）の中央制御室２３、タービン建屋２４、原子炉建屋２５（建造物）に設備された解体対象の各照明器具２９〜３１に連番テープ１１（ｄ）〜１１（ｆ）を貼付する。具体的には、図１６（ａ）〜（ｃ）に示すように、図１１の（ａ）のテープ１１（ｄ）を中央制御室２３の照明器具２９にランダムに貼付し、図１１の（ｂ）のテープ１１（ｅ）をタービン建屋２４の照明器具３０にランダムに貼付するとともに、図１１の（ｃ）のテープ１１（ｆ）を原子炉建屋２５の照明器具３１にランダムに貼付する。
【０１０９】
それら連番テープ１１（ｄ）〜１１（ｆ）を各照明器具２９〜３１に貼付した後、テープ１１（ｄ）〜１１（ｆ）に表示されたバーコード１４のうち、先頭に位置するバーコード１４をバーコードリーダ１２によって読み取るとともに、最後尾に位置するバーコード１４をバーコードリーダ１２によって読み取る。さらに、バーコードリーダ１２のテンキーユニットまたはコンピュータ１３のキーボード１５やマウス１６を利用し、原子力発電所２２の名称を入力し、中央制御室、タービン建屋、原子炉建屋（名称）のいずれかを入力するとともに、照明器具（名称）を入力する（ディスプレイ１７に表示された設備物表示のプルダウンリストから照明器具を選択することもできる）。
【０１１０】
バーコードリーダ１２のテンキーユニットまたはコンピュータ１３のキーボード１５やマウス１６を利用し、原子力発電所２２の特定情報、中央制御室２３やタービン建屋２４、原子炉建屋２５の特定情報、解体日時、用途、建物容積等を入力するとともに（建造物属性入力）、照明器具２９〜３１の特定情報（中央制御室２３の入口、原子炉建屋２５の入口等）、解体日時、強度等を入力する（設備物属性入力）。なお、入力可能な照明器具２９〜３１の属性に特に限定はなく、例示の属性に限らず、他のあらゆる属性を入力することができる。
【０１１１】
バーコードリーダ１２は、読み取ったバーコード１４が表すデータや入力されたデータをコンピュータ１３に転送する。コンピュータ１３の中央処理部は、バーコードリーダ１２からそれらデータを受け取ると、バーコードが表す番号、テープ１１（ｄ）〜１１（ｆ）の色、テープ１１（ｄ）〜１１（ｆ）の色彩の濃淡、テープ１１（ｄ）〜１１（ｆ）の形、テープ１１（ｄ）〜１１（ｆ）記号、バーコードが表す照明器具２９〜３１の各属性（名称、材質、放射性物質の汚染レベル、危険性）、入力された原子力発電所２２や中央制御室２３、タービン建屋２４、原子炉建屋２５の建造物属性および照明器具２９〜３１の設備物属性をディスプレイ１７に表示する。
【０１１２】
各データをディスプレイ１７に表示し、それらデータの確認が行われた後、コンピュータ１３の中央処理部は、照明器具２９〜３１（設備物）を特定する設備物特定識別番号（設備物特定識別子）を生成する。なお、原子力発電所２２や中央制御室２３、タービン建屋２４、原子炉建屋２５（建造物）を特定する建造物特定識別番号は、ドア２６〜２８の格納において生成されたそれらを使用する。
【０１１３】
照明器具２９〜３１を特定する設備物特定識別番号を生成した後、中央処理部は、原子力発電所２２を特定する建造物特定識別番号に設備物特定識別番号を関連付け、中央制御室２３、タービン建屋２４、原子炉建屋２５のいずれかを特定する建造物特定識別番号に設備物特定識別番号を関連付けるとともに、バーコードリーダ１２から転送された先頭番号から最後尾番号までの番号データ（たとえば、図１１（ａ）のテープ１１（ｄ）の先頭番号が０１００、最後尾番号が０１２０の場合、０１００〜０１２０までの番号、図１１（ｂ）のテープ１１（ｅ）の先頭番号が０１２１、最後尾番号が０１４０の場合、０１２１〜０１４０までの番号、図１１（ｃ）のテープ１１（ｆ）の先頭番号が０１４１、最後尾番号が００１６０の場合、０１４１〜０１６０までの番号）を建造物特定識別番号と設備物特定識別番号とに関連付ける。
【０１１４】
さらに、転送された建造物属性データを建造物特定識別番号と設備物特定識別番号とに関連付け、転送された設備物属性データを設備物特定識別番号に関連付けるとともに、バーコード１４が表す属性データを設備物特定識別番号に関連付ける。それらの関連づけが完了した後、コンピュータ１３の中央処理部は、建造物特定識別番号、設備物特定識別番号、番号データ、建造物属性データ、照明器具２９〜３１の設備物属性データ、バーコード１４が表す属性データをハードディスクに格納する（設備物格納手段）。バーコードリーダ１２やコンピュータ１３のディスプレイ１７には、中央制御室２３→照明器具２９、タービン建屋２４→照明器具３０、原子炉建屋２５→照明器具３１のデータ格納完了メッセージが表示される。
【０１１５】
各データがコンピュータ１３のハードディスクに格納された後、それら照明器具２９〜３１の解体作業を行う。解体作業では、図１７（ａ）〜（ｃ）に示すように、照明器具２９〜３１を細かく解体し、照明器具２９〜３１を複数個の解体物３８〜４０に分解する。解体された照明器具２９〜３１の解体物３８〜４０には連番テープ１１（ｄ）〜１１（ｆ）が残存しており、それらテープ１１（ｄ）〜１１（ｆ）に表示されたバーコード１４が１つの場合、２つの場合、３つの場合等がある。なお、照明器具２９〜３１のそれら解体物３８〜４０に貼付された連番テープ１１（ｄ）〜１１（ｆ）には、少なくとも１つのバーコード１４が読み取り可能に残存している。
【０１１６】
照明器具２９〜３１を解体した解体物３８〜４０の廃棄処分前や廃棄処分時、廃棄処分後に、図１８（ａ）〜（ｃ）に示すように、バーコードリーダ１２を利用して解体物３８〜４０（照明器具２９〜３１の解体物３８〜４０）に貼付された連番テープ１１（ｄ）〜１１（ｆ）のバーコード１４を読み取ることで、それら解体物３８〜４０が解体される以前の建造物（原子力発電所２２、中央制御室２３、タービン建屋２４、原子炉建屋２５）および設備物（照明器具２９〜３１）を確認することができるとともに、それら建造物および設備物の属性等を確認することができる。
【０１１７】
解体物３８〜４０の連番テープ１１（ｄ）〜１１（ｆ）のバーコード１４を読み取ると、そのバーコード１４が表す番号データがバーコードリーダ１２からコンピュータ１３に転送される。コンピュータ１３の中央処理部は、バーコードリーダ１２から転送された番号データとハードディスクに格納された番号データとを比較し、解体物３８〜４０が照明器具２９〜３１の解体物３８〜４０であると判断する（設備物特定手段）。
【０１１８】
たとえば、バーコードリーダ１２から転送された番号データが０１０９である場合、ハードディスクに格納された番号データと比較し、その解体物３９が中央制御室２３に設備されていた照明器具２９の解体物３９であると判断する。バーコードリーダ１２から転送された番号データが０１２９である場合、ハードディスクに格納された番号データと比較し、その解体物４０がタービン建屋２４に設備されていた照明器具３０の解体物４０であると判断する。さらに、バーコードリーダ１２から転送された番号データが０１４５である場合、ハードディスクに格納された番号データと比較し、その解体物４１が原子炉建屋２５に設備されていた照明器具３１の解体物４１であると判断する。
【０１１９】
コンピュータ１３の中央処理部は、照明器具２９〜３１（設備物）の設備物特定識別番号に対応する建造物特定識別番号を特定し、その建造物特定識別番号に対応する原子力発電所２２（建造物）を特定しつつ、中央制御室２３、タービン建屋２４、原子炉建屋２５（建造物）を特定する。さらに、建造物特定識別番号と設備物特定識別番号とに対応する建造物属性データを特定し、設備物特定識別番号に対応する設備物属性データを特定する。
【０１２０】
コンピュータ１３の中央処理部は、中央制御室２３→照明器具２９やタービン建屋２４→照明器具３０、原子炉建屋２５→照明器具３１の別とともに、バーコードが表す番号、テープ１１（ｄ）〜１１（ｆ）の色、テープ１１（ｄ）〜１１（ｆ）の色彩の濃淡、テープ１１（ｄ）〜１１（ｆ）の形、テープ１１（ｄ）〜１１（ｆ）の記号、バーコードが表す照明器具２９〜３１の各属性（名称、材質、放射性物質の汚染レベル、危険性）、入力された原子力発電所２２や中央制御室２３、タービン建屋２４、原子炉建屋２５の建造物属性および照明器具２９〜３１の設備物属性をディスプレイ１７に表示する。ディスプレイ１７に表示された各データは、プリンタから出力することができる。
【０１２１】
図１９は、図１２に示す連番テープ１１（ｇ）〜１１（ｉ）が貼付されたダクト３２〜３４の斜視図であり、図２０は、各ダクト３２〜３４の解体作業の一例を示す図である。図２１は、各ダクト３２〜３４を解体した後の解体物４１〜４３を示す図である。図１９では、中央制御室２３、タービン建屋２４、原子炉建屋２５の各ダクト３２〜３４にテープ１１（ｇ）〜１１（ｉ）が貼付され、それら連番テープ１１（ｇ）〜１１（ｉ）に表示されたバーコード１４がバーコードリーダ１２によって読み取られている。図２１では、それらダクト３２〜３４の解体物４１〜４３を１つだけ示し、それら解体物４１〜４３に貼付された連番テープ１１（ｇ）〜１１（ｉ）のバーコード１４がバーコードリーダ１２によって読み取られている。図１９〜図２１に基づいてダクト３２〜３４の解体を説明すると、以下のとおりである。
【０１２２】
原子力発電所２２（建造物）の中央制御室２３、タービン建屋２４、原子炉建屋２５（建造物）に設備された解体対象の各ダクト３２〜３４に連番テープ１１（ｇ）〜１１（ｉ）を貼付する。具体的には、図１９（ａ）〜（ｃ）に示すように、図１２の（ａ）のテープ１１（ｇ）を中央制御室２３のダクト３２の周面にランダムに貼付し、図１２の（ｂ）のテープ１１（ｈ）をタービン建屋２４のダクト３３の周面にランダムに貼付するとともに、図１２の（ｃ）のテープ１１（ｉ）を原子炉建屋２５のダクト３４の周面にランダムに貼付する。
【０１２３】
それら連番テープ１１（ｇ）〜１１（ｉ）を各ダクト３２〜３４に貼付した後、テープ１１（ｇ）〜１１（ｉ）に表示されたバーコード１４のうち、先頭に位置するバーコード１４をバーコードリーダ１２によって読み取るとともに、最後尾に位置するバーコード１４をバーコードリーダ１２によって読み取る。さらに、バーコードリーダ１２のテンキーユニットまたはコンピュータ１３のキーボード１５やマウス１６を利用し、原子力発電所２２の名称を入力し、中央制御室、タービン建屋、原子炉建屋（名称）のいずれかを入力するとともに、ダクト（名称）を入力する（ディスプレイ１７に表示された設備物表示のプルダウンリストからダクトを選択することもできる）。
【０１２４】
バーコードリーダ１２のテンキーユニットまたはコンピュータ１３のキーボード１５やマウス１６を利用し、原子力発電所２２の特定情報、中央制御室２３やタービン建屋２４、原子炉建屋２５の特定情報、解体日時、用途、建物容積等を入力するとともに（建造物属性入力）、ダクト３２〜３４の特定情報（中央制御室２３の天井設置、原子炉建屋２５の天井設置、給気系統、排気系統等）、解体日時、強度等を入力する（設備物属性入力）。なお、入力可能なダクト３２〜３４の属性に特に限定はなく、例示の属性に限らず、他のあらゆる属性を入力することができる。
【０１２５】
バーコードリーダ１２は、読み取ったバーコード１４が表すデータや入力されたデータをコンピュータ１３に転送する。コンピュータ１３の中央処理部は、バーコードリーダ１２からそれらデータを受け取ると、バーコードが表す番号、テープ１１（ｇ）〜１１（ｉ）の色、テープ１１（ｇ）〜１１（ｉ）の色彩の濃淡、テープ１１（ｇ）〜１１（ｉ）の形、テープ１１（ｇ）〜１１（ｉ）の記号、バーコードが表すダクト３２〜３４の各属性（名称、材質、放射性物質の汚染レベル、危険性）、入力された原子力発電所２２や中央制御室２３、タービン建屋２４、原子炉建屋２５の建造物属性およびダクト３２〜３４の設備物属性をディスプレイ１７に表示する。
【０１２６】
各データをディスプレイ１７に表示し、それらデータの確認が行われた後、コンピュータ１３の中央処理部は、ダクト３２〜３４（設備物）を特定する設備物特定識別番号（設備物特定識別子）を生成する。なお、原子力発電所２２や中央制御室２３、タービン建屋２４、原子炉建屋２５（建造物）を特定する建造物特定識別番号は、ドア２６〜２８の格納において生成されたそれらを使用する。
【０１２７】
ダクト３２〜３４を特定する設備物特定識別番号を生成した後、中央処理部は、原子力発電所２２を特定する建造物特定識別番号に設備物特定識別番号を関連付け、中央制御室２３、タービン建屋２４、原子炉建屋２５のいずれかを特定する建造物特定識別番号に設備物特定識別番号を関連付けるとともに、バーコードリーダ１２から転送された先頭番号から最後尾番号までの番号データ（たとえば、図１２（ａ）のテープ１１（ｇ）の先頭番号が０２００、最後尾番号が０２３０の場合、０２００〜０２３０までの番号、図１２（ｂ）のテープ１１（ｈ）の先頭番号が０２３１、最後尾番号が０２６０の場合、０２３１〜０２６０までの番号、図１２（ｃ）のテープ１１（ｉ）の先頭番号が０２６１、最後尾番号が０２９０の場合、０２６１〜０２９０までの番号）を建造物特定識別番号と設備物特定識別番号とに関連付ける。
【０１２８】
さらに、転送された建造物属性データを建造物特定識別番号と設備物特定識別番号とに関連付け、転送された設備物属性データを設備物特定識別番号に関連付けるとともに、バーコード１４が表す属性データを設備物特定識別番号に関連付ける。それらの関連づけが完了した後、コンピュータ１３の中央処理部は、建造物特定識別番号、設備物特定識別番号、番号データ、建造物属性データ、ダクト３２〜３４の設備物属性データ、バーコード１４が表す属性データをハードディスクに格納する（設備物格納手段）。バーコードリーダ１２やコンピュータ１３のディスプレイ１７には、中央制御室２３→ダクト３２、タービン建屋２４→ダクト３３、原子炉建屋２５→ダクト３４のデータ格納完了メッセージが表示される。
【０１２９】
各データがコンピュータ１３のハードディスクに格納された後、それらダクト３２〜３４の解体作業を行う。解体作業では、図２０（ａ）〜（ｃ）に示すように、ダクト３２〜３４を細かく解体し、ダクト３２〜３４を複数個の解体物４１〜４３に分解する。解体されたダクト３２〜３４の解体物４１〜４３には連番テープ１１（ｇ）〜１１（ｉ）が残存しており、それらテープ１１（ｇ）〜１１（ｉ）に表示されたバーコード１４が１つの場合、２つの場合、３つの場合等がある。なお、ダクト３２〜３４のそれら解体物４１〜４３に貼付された連番テープ１１（ｇ）〜１１（ｉ）には、少なくとも１つのバーコード１４が読み取り可能に残存している。
【０１３０】
ダクト３２〜３４を解体した解体物４１〜４３の廃棄処分前や廃棄処分時、廃棄処分後に、図２１（ａ）〜（ｃ）に示すように、バーコードリーダ１２を利用して解体物４１〜４３（ダクト３２〜３４の解体物４１〜４３）に貼付された連番テープ１１（ｇ）〜１１（ｉ）のバーコード１４を読み取ることで、それら解体物４１〜４３が解体される以前の建造物（原子力発電所２２、中央制御室２３、タービン建屋２４、原子炉建屋２５）および設備物（ダクト３２〜３４）を確認することができるとともに、それら建造物および設備物の属性等を確認することができる。
【０１３１】
解体物４１〜４３の連番テープ１１（ｇ）〜１１（ｉ）のバーコード１４を読み取ると、そのバーコード１４が表す番号データがバーコードリーダ１２からコンピュータ１３に転送される。コンピュータ１３の中央処理部は、バーコードリーダ１２から転送された番号データとハードディスクに格納された番号データとを比較し、解体物４１〜４３がダクト３２〜３４の解体物４１〜４３であると判断する（設備物特定手段）。
【０１３２】
たとえば、バーコードリーダ１２から転送された番号データが０２２７である場合、ハードディスクに格納された番号データと比較し、その解体物４２が中央制御室２３に設備されていたダクト３２の解体物４２であると判断する。バーコードリーダ１２から転送された番号データが０２５１である場合、ハードディスクに格納された番号データと比較し、その解体物４３がタービン建屋２４に設備されていたダクト３３の解体物４３であると判断する。さらに、バーコードリーダ１２から転送された番号データが０２７８である場合、ハードディスクに格納された番号データと比較し、その解体物４４が原子炉建屋２５に設備されていたダクト３４の解体物４４であると判断する。
【０１３３】
コンピュータ１３の中央処理部は、ダクト３２〜３４（設備物）の設備物特定識別番号に対応する建造物特定識別番号を特定し、その建造物特定識別番号に対応する原子力発電所２２（建造物）を特定しつつ、設備物特定識別番号から中央制御室２３、タービン建屋２４、原子炉建屋２５（建造物）を特定する。さらに、建造物特定識別番号と設備物特定識別番号とに対応する建造物属性データを特定し、設備物特定識別番号に対応する設備物属性データを特定する。
【０１３４】
コンピュータ１３の中央処理部は、中央制御室２３→ダクト３２やタービン建屋２４→ダクト３３、原子炉建屋２５→ダクト４の別とともに、バーコードが表す番号、テープ１１（ｇ）〜１１（ｉ）の色、テープ１１（ｇ）〜１１（ｉ）の色彩の濃淡、テープ１１（ｇ）〜１１（ｉ）の形、テープ１１（ｇ）〜１１（ｉ）の記号、バーコードが表すダクト３２〜３４の各属性（名称、材質、放射性物質の汚染レベル、危険性）、入力された原子力発電所２２や中央制御室２３、タービン建屋２４、原子炉建屋２５の建造物属性およびダクト３２〜３４の設備物属性をディスプレイ１７に表示する。ディスプレイ１７に表示された各データは、プリンタから出力することができる。
【０１３５】
解体物管理システム１０は、連番テープ１１（ａ）〜１１（ｉ）に表示されたバーコード１４を利用することで、解体物３５〜４３が属する原子力発電所２２の中央制御室２３やタービン建屋２４、原子炉建屋２５に設備されたドア２６〜２８、照明器具２９〜３１、ダクト３２〜３４等の設備物を各解体物３５〜４３毎に特定することができ、ドア２６〜２８や照明器具２９〜３１、ダクト３２〜３４の解体後に各解体物３５〜４３が属していた原子力発電所２２の設備物（ドア２６〜２８、照明器具２９〜３１、ダクト３２〜３４）を追跡かつ把握することができる。
【０１３６】
解体物管理システム１０は、原子力発電所２２の中央制御室２３やタービン建屋２４、原子炉建屋２５に設備されたドア２６〜２８、照明装置２９〜３１、ダクト３２〜３４が細かく解体されて複数の解体物３５〜４３が発生したとしても、それら解体物３５〜４３に貼付された連番テープ１１（ａ）〜１１（ｉ）のバーコード１４を介してそれら解体物３５〜４３の解体前の設備物（ドア２６〜２８、照明器具２９〜３１、ダクト３２〜３４）を確実に特定することができる。解体物管理システム１０は、連番テープ１１（ａ）〜１１（ｉ）のバーコード１４を利用してそれら解体物３５〜４３の解体前の設備物（ドア２６〜２８、照明器具２９〜３１、ダクト３２〜３４）を特定することができるから、ある原子力発電所２２の中央制御室２３やタービン建屋２４、原子炉建屋２５のドア２６〜２８、照明器具２９〜３１、ダクト３２〜３４を解体した解体物３５〜４３がその原子力発電所２２の設備物の解体物群からはぐれたり、ある原子力発電所２２の中央制御室２３やタービン建屋２４、原子炉建屋２５のドア２６〜２８、照明器具２９〜３１、ダクト３２〜３４を解体した解体物３５〜４３が他の原子力関連施設の設備物の解体物として紛れ込んだとしても、ドア２６〜２８、照明器具２９〜３１、ダクト３２〜３４の解体前の原子力発電所２２の設備物（ドア２６〜２８、照明器具２９〜３１、ダクト３２〜３４）を明らかにすることができ、解体物３５〜４３の帰属不明を防ぐことができる。
【０１３７】
解体物管理システム１０は、原子力発電所２２や中央制御室２３、タービン建屋２４、原子炉建屋２５の各種属性が建造物特定識別番号と設備物特定識別番号とに関連付けられた状態でコンピュータ１３に格納され、ドア２６〜２８や照明器具２９〜３１、ダクト３２〜３４の各種属性が設備物特定識別番号に関連付けられた状態でコンピュータ１３に格納されているから、ドア２６〜２８や照明器具２９〜３１、ダクト３２〜３４の解体後であっても解体物３５〜４３が属する建造物や設備物の属性を各解体物３５〜４３毎に把握することができ、解体物３５〜４３を各建造物毎であって属性毎に区分して管理することができるとともに、解体物３５〜４３を各設備物毎であって属性毎に区分して管理することができる。
【０１３８】
原子力発電所２２の中央制御室２３やタービン建屋２４、原子炉建屋２５における解体作業では、放射能汚染を厳格に防ぐ目的から、ドア２６〜２８や照明器具２９〜３１、ダクト３２〜３４等の設備物の属性が解体後に追跡可能かつ把握可能であることが要求され、解体後のそれら解体物３５〜４３が属する設備物の属性が追跡可能かつ把握可能であることが要求されるとともに、解体後のそれら解体物３５〜４３の属性毎の管理が要求されるが、この解体物管理システム１０は、原子力発電所２２の中央制御室２３やタービン建屋２４、原子炉建屋２５の解体に要求されるそのような条件を満足させることができる。
【符号の説明】
【０１３９】
１０    解体物管理システム
１１    連番テープ
１１（ａ）〜１１（ｉ）  連番テープ
１２    バーコードリーダ（識別コードリーダ）
１３    コンピュータ
１４    バーコード（識別コード）
１８    テーブル（設備物）
１９    ロッカー（設備物）
２０    解体物
２１    解体物
２２    原子力発電所（建造物）
２３    中央制御室（建造物）
２４    タービン建屋（建造物）
２５    原子力建屋（建造物）
２６    ドア（設備物）
２７    ドア（設備物）
２８    ドア（設備物）
２９    照明器具（設備物）
３０    照明器具（設備物）
３１    照明器具（設備物）
３２    ダクト（設備物）
３３    ダクト（設備物）
３４    ダクト（設備物）
３５〜３７  解体物（ドア）
３８〜４０  解体物（照明器具）
４１〜４３  解体物（ダクト）
【図１】
0005693909.tif 000002
【図２】
0005693909.tif 000003
【図３】
0005693909.tif 000004
【図４】
0005693909.tif 000005
【図５】
0005693909.tif 000006
【図６】
0005693909.tif 000007
【図７】
0005693909.tif 000008
【図８】
0005693909.tif 000009
【図９】
0005693909.tif 000010
【図１０】
0005693909.tif 000011
【図１１】
0005693909.tif 000012
【図１２】
0005693909.tif 000013
【図１３】
0005693909.tif 000014
【図１４】
0005693909.tif 000015
【図１５】
0005693909.tif 000016
【図１６】
0005693909.tif 000017
【図１７】
0005693909.tif 000018
【図１８】
0005693909.tif 000019
【図１９】
0005693909.tif 000020
【図２０】
0005693909.tif 000021
【図２１】
0005693909.tif 000022